(57)【要約】【課題】  データベースにリンクしたＷｅｂサーバを設置し、サービス利用者はこのＷｅｂサーバにアクセスすることによって、本来複数のサイトにて提供されていた情報を一度に閲覧することを可能とし、しかも複数サイトを行き来するのにかかる時間の節約、そして無駄なデータの受信を防止し、無駄なトラフィックの発生を防ぐようなシステム、方法を提供すること。【解決手段】  Ｗｅｂサイトに記載された記事情報に対して、当該記事情報内の特定記事あるいはトピック毎にタグを付したタグ情報を他のデータベースに、前記タグ情報と前記記事の内容とをリンクさせたデータを蓄積し、前記他のデータベースにリンクした一つのＷｅｂサイトを設置して、複数サイトからの前記記事情報を閲覧可能としたことを特徴とする。【選択図】  図１
2006235882.tif 000002
【特許請求の範囲】
【請求項１】
Ｗｅｂサイトに記載された記事情報に対して、当該記事情報内の特定記事あるいはトピック毎にタグを付したタグ情報を他のデータベースに、前記タグ情報と前記記事の内容とをリンクさせたデータを蓄積し、前記他のデータベースにリンクした一つのＷｅｂサイトを設置して、複数サイトからの前記記事情報を閲覧可能としたことを特徴とする複数情報の閲覧方法。
【請求項２】
一のＷｅｂサーバへのアクセスのみで、複数のＷｅｂサーバからの複数ＨＴＭＬファイルに前記一のＷｅｂページ上で閲覧可能であることを特徴とする複数サイトからの複数情報の閲覧方法。
【請求項３】
一のＷｅｂサーバへのアクセスのみで、複数のＷｅｂサーバからの複数ＨＴＭＬファイルに前記一のＷｅｂページ上で閲覧可能であることを特徴とする複数サイトからの複数情報の一覧システム。
【請求項４】
記事内容情報を有する複数のＷｅｂサーバと、
前記Ｗｅｂサーバ内の前記記事内容に係る記事を各特定記事毎あるいはトピック毎にタグを付したタグ情報を前記記事内容からの特定の記事内容でリンクさせて保存するデータベースサーバと、
閲覧された際に閲覧に係る内容を基にして、前記データベースサーバから前記リンクさせて保存された関連記事内容を閲覧可能なサーバと、
を有して構成された複数サイトからの複数情報の一覧システム。
【請求項５】
記事内容情報を有する複数のＷｅｂサーバの一にアクセスして特定記事あるいはトピックを指定すると、前記複数のＷｅｂサーバ内の他の関連する記事情報が前記タグ情報としてリンクされて検索されることを特徴とする請求項４に記載の複数サイトからの複数情報の一覧システム。
【請求項６】
前記リンクされる他の関連する記事情報は、前記閲覧可能なサーバが前記Ｗｅｂサーバ内の記事情報を予め前記記事情報の内容から関連つけて前記データベースサーバに保存するようにしたことを特徴とする請求項３又は５に記載の複数サイトからの複数情報の一覧システム。
【発明の詳細な説明】
【技術分野】
【０００１】
本発明は、Ｗｅｂページへのタグ情報埋め込みによる複数情報の閲覧方法およびシステムに関する。
【背景技術】
【０００２】
従来、Ｗｅｂサイトを閲覧するには、ＵＲＬ（Uniform Resource Locators）を指定することで、指定されたＷｅｂサイト、すなわちＨＴＭＬで記述された対象ページを、いわば「丸ごと」閲覧者のＰＣ（コンピュータあるいは携帯電話など）で動作するブラウザにダウンロードしていた。このため、例えば、ニュースサイトの「スポーツ記事」だけ読みたい場合でも、そのユーザには必要とする情報以外の不必要な情報、すなわちその同一サイトに記憶されている「政治」、「経済」などのニュース記事までも、ダウンロードされることとなり、データ、ダウンロード費用等の無駄となっていた。
【０００３】
また、近年流行している携帯電話でのインターネット通信では、パケット単位による課金がされているが、上記のようなユーザが必要としない情報までもダウンロードされてしまうため、無駄なデータのダウンロードは、通信コストの増加につながっていた。
【０００４】
このようなＷｅｂサイトを閲覧する発明として、たとえば特許文献1の特開２００１−２２９１７１を挙げることができる。この公報の特許請求の範囲、図１及びその説明文などには、複数の店舗サイトの各々が、複数の情報項目からなる共通形式のメタタグを各ホームページ内に記述することにより店舗及び商品に関する情報を各ホームページ内に包有させ、検索エンジンが検索した情報をデータベースに格納することが記載されている。
【０００５】
また、特許文献２の特開２００１−３１２５４５には、物件情報データベースの構築方法、構築システム及び物件情報の提供方法の発明が記載されており、この文献の特許請求の範囲、図１、図３および段落００４８などには、物件情報の属性を定義する共通のタグデータを複数のＷｅｂサイトに配布し、情報サーバにアクセスした物件情報を閲覧することが開示されている。
【０００６】
また特許文献３の特開２００３−１０８４２５には、情報処理システムなどを含む発明が開示され、この公報にはＵＲＬ情報とキーワードとをリンク化を行うタグとともに該当キーワードのある箇所に書き込み、このリンク化されたＨＴＭＬファイルをユーザ端末に送信することが開示されている。
【特許文献１】特開２００１−２２９１７１号公報
【特許文献２】特開２００１−３１２５４５号公報
【特許文献３】特開２００３−１０８４２５号公報
【発明の開示】
【発明が解決しようとする課題】
【０００７】
本発明は、上記した従来技術の問題点に鑑みてなされたものであって、データベースにリンクしたＷｅｂサーバを設置し、サービス利用者はこのＷｅｂサーバにアクセスすることによって、本来複数のサイトにて提供されていた情報を一度に閲覧することを可能とし、しかも複数サイトを行き来するのにかかる時間の節約、そして無駄なデータの受信を防止し、無駄なトラフィックの発生を防ぐようなシステム、方法を提供することを目的としている。
【課題を解決するための手段】
【０００８】
本発明は、係る課題を解決するためになされたものであって、Ｗｅｂサイトに記載された記事情報に対して、当該記事情報内の特定記事あるいはトピック毎にタグを付したタグ情報を他のデータベースに、前記タグ情報と前記記事の内容とをリンクさせたデータを蓄積し、前記他のデータベースにリンクした一つのＷｅｂサイトを設置して、複数サイトからの前記記事情報を閲覧可能としたことを特徴とする複数情報の閲覧方法である。
【０００９】
また本発明は、一のＷｅｂサーバへのアクセスのみで、複数のＷｅｂサーバからの複数ＨＴＭＬファイルに前記一のＷｅｂページ上で閲覧可能であることを特徴とする複数サイトからの複数情報の一覧システムおよび閲覧方法である。
【００１０】
また本発明は、記事内容情報を有する複数のＷｅｂサーバと、前記Ｗｅｂサーバ内の前記記事内容に係る記事を各特定記事毎あるいはトピック毎にタグを付したタグ情報を前記記事内容からの特定の記事内容でリンクさせて保存するデータベースサーバと、閲覧された際に閲覧に係る内容を基にして、前記データベースサーバから前記リンクさせて保存された関連記事内容を閲覧可能なサーバと、を有して構成された複数サイトからの複数情報の一覧システムである。
【００１１】
たとえば、前記システムにおいて、記事内容情報を有する複数のＷｅｂサーバの一にアクセスして特定記事あるいはトピックを指定すると、前記複数のＷｅｂサーバ内の他の関連する記事情報が前記タグ情報としてリンクされて検索されることを特徴とする複数サイトからの複数情報の一覧システムであってもよい。
【００１２】
また、前記システムの発明において前記リンクされる他の関連する記事情報は、前記閲覧可能なサーバが前記Ｗｅｂサーバ内の記事情報を予め前記記事情報の内容から関連つけて前記データベースサーバに保存するようにしたことを特徴とする複数サイトからの複数情報の一覧システムであってもよい。
【発明の効果】
【００１３】
この本発明に係る方法によれば、データベースにリンクしたＷｅｂサーバを設置し、サービス利用者はこのＷｅｂサーバにアクセスすることで、本来複数のサイトにて提供されていた情報を一度に閲覧することが可能となり、複数サイトを行き来するのにかかる時間の節約、そして無駄なデータ（実際には特定の記事だけを読み込みたいのに、当該Ｗｅｂサイトに含まれるそれ以外の情報まで読み込むことによる無駄なトラフィックの発生を防ぐことが可能となる。
【００１４】
これまで、ＵＲＬ（すなわちＨＴＭＬファイルと一対一で関連づけられた、ＨＴＭＬファイルの保管先を表す文字列）は、様々な分野の情報が入ったファイルのありかを表し、そのファイルの中身すべての表示を可能ならしめていたが、ファイルの中身を一部だけ表示することはできなかった。
【００１５】
今回の発明を用い、特定のタグをファイル内の書く情報単位に一対一で関連付けることで、タグ情報の参照（データベースの参照）を用いて任意の情報単位を、選択的に閲覧可能となる。
【発明を実施するための最良の形態】
【００１６】
本発明の特徴の１つとして、まず対象となるＷｅｂサイト、すなわちＨＴＭＬファイル中の、各記事毎に特定のタグを挿入する。
各タグには、例えば<AAANews.com  Sports  20040420-002>とあるタグに示すように、このタグには、「AAAニュースのWebサイトの2004年4月20日版のスポーツ欄の二番目の記事」を意味するというように、タグ記述と、サイトの記事内容とが、一意に対応するフォーマットを与えておく。すなわち、上記タグ内の「AAANews.com」の部分は「AAAニュースのWebサイト」を意味し、「Sports」の部分は「スポーツ欄」を意味し、「20040420-002」の部分は「2004年4月20日版の二番目の記事」を意味する。
各Ｗｅｂサイトの個別情報に対して、上記の特定のフォーマットに従ったタグを割り当てる。
【００１７】
データベースサーバを設置し、上記のタグ情報とＵＲＬ情報をリンク付けしたデータを保存しておく。
ユーザアクセス用のＷｅｂサーバを設置し、上記データベースサーバを参照するＨＴＭＬファイルを保管しておく。
サービス利用者は上記のユーザアクセス用Ｗｅｂサーバにアクセスする。
ユーザアクセス用Ｗｅｂサーバにアクセスすることで、サービス利用者はタグが埋め込まれた情報（本来は複数サイトで提供されていた情報）を、一箇所のＷｅｂサーバへのアクセスすることによって、閲覧することが可能となる。
【００１８】
まず対象となるＷｅｂサイト、すなわちＨＴＭＬファイル中の、各記事毎に特定のタグを挿入する。
各タグには、例えば<AAANews.com  Sports  20040420-002>とあるタグに示すように、このタグには、「AAAニュースのWebサイトの2004年4月20日版のスポーツ欄の二番目の記事」を意味するというように、タグ記述と、サイトの記事内容とが、一意に対応するフォーマットを与えておく。すなわち、上記タグ内の「AAANews.com」の部分は「AAAニュースのWebサイト」を意味し、「Sports」の部分は「スポーツ欄」を意味し、「20040420-002」の部分は「2004年4月20日版の二番目の記事」を意味する。
各Ｗｅｂサイトの個別情報に対して、上記の特定のフォーマットに従ったタグを割り当てる。
【００１９】
データベースサーバを設置し、上記のタグ情報とＵＲＬ情報をリンク付けしたデータを保存しておく。
ユーザアクセス用のＷｅｂサーバを設置し、上記データベースサーバを参照するＨＴＭＬファイルを保管しておく。
サービス利用者は上記のユーザアクセス用Ｗｅｂサーバにアクセスする。
ユーザアクセス用Ｗｅｂサーバにアクセスすることで、サービス利用者はタグが埋め込まれた情報（本来は複数サイトで提供されていた情報）を、一箇所のＷｅｂサーバへのアクセスすることによって、閲覧することが可能となる。
【００２０】
［実施形態の構成］
次に、本発明のＷｅｂページへのタグ情報埋め込みによる複数からの情報の閲覧方法およびプログラムを具体化した第１実施形態の構成例について、図面を参照して詳細に説明する。
【００２１】
図１に示すように、本実施形態は、Ｗｅｂサイト（ＨＴＭＬファイル）を保管するＷｅｂサーバ（たとえば図１に示すようなＷｅｂサーバＡ、ＷｅｂサーバＢなど）と、それらＨＴＭＬファイル内に割り当てられたタグ情報を保管するデータベースサーバ、そしてそのデータベースサーバにて保管されデータをＨＴＭＬファイル形式にてまとめて提供するためのＷｅｂサーバ（図１のＷｅｂサーバＣ）と、によって構成される。
このサービスを利用するユーザは、クライアントＰＣならびにその上で動作するＷｅｂブラウザソフトウェアを使用して、上記のＷｅｂサーバにアクセスを行う。
【００２２】
［実施形態の動作例］
本実施形態では、図１に示すようなシステム構成を採用している。
すなわち、ＷｅｂサーバＡおよびＷｅｂサーバＢなどの各種ｗｅｂサイト情報を保持するサーバ群と、一意のタグの一覧リストを保持するサーバであるデータベースサーバと、ユーザがアクセスするＷｅｂサーバであるＷｅｂサーバＣとを有している。
各種ＷｅｂサイトにおけるＨＴＭＬファイル中の各情報に、タグを割り当てるサーバ群は、各サーバ内の記事毎に一意となるタグを各記事に付加しておく。どのように一意に付加するかは、たとえば辞書機能を用いてカテゴリーと、ジャンルとに各記事を分類わけし、これにたとえば記事の入力日時（あるいは記事の内容に関することが発生した時期など）と、その記事の現出頻度などを一覧にしたテーブルを作成して、現出頻度の多い記事に関しては、リンク度合いを高くして、重なる記事内容（重複する記事内容）の排除あるいは同じリンク先を除去するなどリンク先情報の重なりを消去して情報量を抑えるようにし、その情報量の制御を行うことができる。
【００２３】
本実施形態では、上記したようにデータベースサーバを設置し、各Ｗｅｂサイトの各ＨＴＭＬファイルに含まれるタグに関するデータを保管する。
Ｗｅｂサーバをネットワーク上に設置し、上記データベースを参照するためのＨＴＭＬファイルの表示もしくは生成を行う。
クライアントＰＣ（サービス利用者の端末）から、Ｗｅｂサーバにアクセスすることで、異なるＷｅｂサイトに保管されているＨＴＭＬファイル中の記事のうち、データベースサーバ内に記録されている（タグが割り当てられている）、各種記事が、一度にＷｅｂブラウザ上で表示することが可能となる。
【００２４】
たとえば、データベースサーバは、一意となるタグの一覧リストを保持する。
この一意となるタグは、その対象記事の場所へのリンク情報、あるいはその対象記事の有する情報そのものの複製を保持している。リンク情報としては、たとえば、ｈｔｍｌファイルの場所が、ｈｔｍｌファイルの記事のカテゴリー内にあるこのカテゴリー内の上から２番目に取り上げられているニュースが、「www.×○×．Co．ｊｐ／index.html」というように、なっている例を挙げることができる。ただし、本発明では、前記したリンク情報、あるいはその対象記事の有する情報そのものの複製に関してはその他の公知の方法で置き換え可能である。
【００２５】
また上記ＷｅｂサーバＣなどのユーザがアクセスするＷｅｂサーバは、ｗｅｂサイト（ｈｔｍｌファイル）を保持しており、このｈｔｍｌファイルは、データベースサーバに保持されている一意となるタグの一覧リストにリンクするようにされている。
ユーザにより、ｗｅｂサーバＣにアクセスされると、データベースサーバに保持される一覧リストのリンク先であるＷｅｂサーバＡ、ＷｅｂサーバＢに保持される記事情報をこのＷｅｂサーバＣにアクセスすると、ユーザは、他のサーバにアクセスすることなしに自動的にリンク先の記事情報が実質的に選択でき、本発明により、従来のサイト情報の選択に掛かる時間、手間を省略してユーザフレンドリーな検索空間を即座に実現することができるようになった。
【００２６】
さらに、クライアントは、ＷｅｂサーバＣにアクセスしさえすればよく、他のリンク先をたとえば検索エンジン、辞書機能などを利用して検索する手間が省くことができ、さらに、たとえば、ジャンル、日時、画像情報の類似性による共通性を利用した類似情報の検索を実質的に行うことができ、これらに学習システムを加えた検索を行い、さらにキーワードの抽出、（類似・同一）画像情報による抽出などを２種以上、適宜組み合わせて検索してＷｅｂサーバＣの分類等に反映可能とすることもできる。ＷｅｂサーバＣでは、クライアントの要望を反映させて、分類を日時、ジャンル、記事内容の共通性を新たに設けて、ユーザに対して、求めに応じたサービスを提供することができる。
【００２７】
また、たとえば特定記事の重要度を数値化してその順番にＷｅｂサーバＣの記事情報の順序を変え、あるいは、その記事の発生時間あるいは入力時間からのユーザの関心度を数値化してこの数値のレベルを多段階に設け、関連記事のリンク数を決定してＷｅｂサーバＣ内に確保するようにすることもできる。
さらに、特定記事、トピック欄を設け、これをテーブルとしてＷｅｂサーバＣ内に設け、これにタグを埋め込むようにすることもできる。
【００２８】
このような実施形態では、たとえば、ＷｅｂサーバＣは、データベースサーバとアクセスし、インターネット内のＷｅｂサーバＡ、ＷｅｂサーバＢ、・・・内の記事情報にタグを付する。データベースサーバでは、たとえば同一言語の記事情報を１つの集合とし、記事情報を、スポーツ記事、事故記事などのジャンルに分類し、各ジャンルの集合を、日時、場所（地域）、キーワードなどで細分類しこれらの分類分け情報をデータベースサーバに確保する。そして基本的には、たとえば、各Ｗｅｂサーバ内の記事毎に分類分け情報が確保された区域内の各情報のアドレスと、リンク先情報とを関連させておく。たとえば図１のデータベースサーバ内には、ある特定のジャンルの記事Ａ−１と記事内容Ｂ−２とが、そのジャンルが同一であり、記事内容が同一・類似しているので、関連したリンク先としてある保存エリアに保存されている。
【００２９】
たとえば記事内容の同一性・類似性は、記事内容に共通したキーワード（名詞など）が存在し、たとえば、その共通した数に閾値Ｓを設けたり、共通の度合い（各Ｗｅｂサーバ毎のタグが付されリンクされた記事中のキーワード毎の共通数ａ）Ａ、記事内容の容量Ｂなどから度合いの密度（共通の度合い÷記事内容の容量（Ａ÷Ｂ）Ｄ）を求め、これらの閾値Ｓ、共通の度合いＡ、度合いの密度Ｂなどを用いてリンク数を決定するようにすることができる。また、共通のキーワードの種類の数Ｃ、上記Ａ、ａ、Ｂ、Ｃ、Ｄを用いてパラメータ式を作成し、相関表を作成して各記事内容のリンクの強さをこのパラメータ式に基ずいて規定するという方法を挙げることができる。
【００３０】
このような方法に基ずいて、ＷｅｂサーバＣは、データベースサーバ内にリンクすべき記事を関連つけて１つの保存領域内に保存してクライアントからのアクセスの際にサービスを提供することができる。すなわちクライアントは、あるＷｅｂサイトにアクセスしさえすれば、他の関連記事内容をクライアント本人が指定することなしに自動的に関連情報を検索することができるようになる。
【産業上の利用可能性】
【００３１】
本発明によれば、事前に好みのニュースカテゴリを登録しておくことで、単一Ｗｅｂページにおいて、複数Ｗｅｂサイトからの情報を閲覧が可能となり、情報検索の時間短縮、またはパケット課金サービスにおいては、必要な情報のみをダウンロード可能とすることにより、通信費削減が可能となる。
【図面の簡単な説明】
【００３２】
【図１】本発明のＷｅｂページへのタグ情報埋め込みによる複数情報の閲覧方法を実行するための閲覧システムの構成例を示す図である。
【図１】
2006235882.tif 000003